(57)【要約】【課題】固定無線アクセスシステムにおいて加入者端末の設置エリアを従来よりも拡大させることができる基地局装置を提供すること。【解決手段】制御用チャネルおよび情報用チャネルを用いて加入者端末２０とアダプティブアレー方式で通信を行う基地局装置１０において、情報用チャネルを割り当てる際に加入者端末２０から送信された制御用チャネルの信号を受信する無線通信部１１と、無線通信部１１によって受信された制御用チャネルの信号に基づいて加入者端末２０の位置を特定する位置特定部１２と、位置特定部１２によって特定された加入者端末２０の位置に基づいて加入者端末２０に信号を放射するためのビーム形成の情報を記憶するビーム形成情報記憶部１３と、を備え、無線通信部１１が、制御用チャネルの信号に応答する際の信号をビーム形成の情報に基づいて加入者端末２０に所定の強さで放射するように構成する。【選択図】図２
2010147847.tif 000002
【特許請求の範囲】
【請求項１】
制御用チャネルおよび情報用チャネルを用いて無線通信端末とアダプティブアレー方式で通信を行う基地局装置において、
前記情報用チャネルを割り当てる際に前記無線通信端末から送信された前記制御用チャネルの信号を受信する無線通信部と、
前記無線通信部によって受信された制御用チャネルの信号に基づいて前記無線通信端末の位置を特定する位置特定部と、
前記位置特定部によって特定された無線通信端末の位置に基づいて前記無線通信端末に信号を放射するためのビーム形成の情報を記憶するビーム形成情報記憶部と、を備え、
前記無線通信部が、前記制御用チャネルの信号に応答する際の信号を前記ビーム形成の情報に基づいて前記無線通信端末に所定の強さで放射することを特徴とする基地局装置。
【請求項２】
前記無線通信部は、アダプティブアレー方式に用いる複数のアンテナを備えており、前記アンテナを介して信号を受信したときに最大比合成ダイバーシティを用いて、前記情報用チャネルを割り当てる際の前記無線通信端末から送信された制御用チャネルの信号を特定することを特徴とする請求項１に記載の基地局装置。
【請求項３】
制御用チャネルおよび情報用チャネルを用いて無線通信端末とアダプティブアレー方式で通信を行う基地局装置を制御する基地局制御方法において、
前記情報用チャネルを割り当てる際に前記無線通信端末から送信された前記制御用チャネルの信号を受信する受信ステップと、
前記受信ステップで受信された制御用チャネルの信号に基づいて前記無線通信端末の位置を特定する位置特定ステップと、
前記位置特定ステップで特定された無線通信端末の位置に基づいて前記無線通信端末に信号を放射するためのビーム形成の情報を生成する生成ステップと、
前記生成ステップで生成されたビーム形成の情報に基づいて前記無線通信端末に所定の強さで前記制御用チャネルの信号に応答する際の信号を放射するステップとを備えたことを特徴とする基地局制御方法。
【発明の詳細な説明】
【技術分野】
【０００１】
本発明は、アダプティブアレー方式で通信する基地局装置および基地局制御方法に関する。
【背景技術】
【０００２】
電気通信事業者と加入者宅をつなぐ固定無線アクセスシステムが、有線回線が敷設されていないような一部の地域で導入されている。ＷＬＬ（Wireless Local Loop）やＦＷＡ（Fixed Wireless Access）のような固定無線アクセスシステムでは、ＰＨＳ（Personal Handy-phone System）技術を利用すれば、安価な簡素なＰＨＳ用の装置を活用できるため、固定無線アクセス用の通信路を安く、短期間で構築できる。
【０００３】
固定無線アクセスシステムの基地局装置は、例えば、電柱に固定して設置され、固定無線アクセスシステムのサービスに加入している加入者宅にある無線通信端末と通信する。この基地局装置のアンテナは、アダプティブアレーアンテナによって構成され、放射する電磁波の指向性を自在に変更可能である。
【０００４】
また、ＰＨＳでは、携帯電話機等の無線通信端末と基地局装置とで、フレームを時分割した複数のタイムスロットをそれぞれチャネルに割り当てて通信を行う時分割多重方式（ＴＤＭＡ：Time Division Multiple Access）が採用されている。時分割多重方式では、所定数の送信タイムスロットおよび所定数の受信タイムスロットによって構成されるフレームという単位が基準となる。無線通信端末と基地局装置との間で情報は、タイムスロットに対応付けられたチャネルを介して送受信される。ＰＨＳのチャネルには、呼制御を行うための共通制御チャネル（ＣＣＨ:Control Channel）、情報を送受信するための情報用チャネル（ＴＣＨ:Traffic Channel）がある。
【０００５】
このような、ＰＨＳを使用した従来の固定無線アクセスシステムについて、図４に示す。図４に示した固定無線アクセスシステムは、基地局装置３０および無線通信端末２０（以下、加入者端末２０という。）から構成されたものである。例えば、加入者端末２０は、固定無線アクセスシステムの加入者宅９に設置されている。
【０００６】
図５は、基地局装置３０および加入者端末２０の処理を示すシーケンス図である。まず、加入者宅９にある加入者端末２０が、電源投入などで立ち上がった場合、基地局装置３０とのリンク（ＴＣＨ）を確立させるため、リンク確立要求信号（ＬＣＨ確立要求）を、ＣＣＨを用いて基地局装置３０に送信する。
【０００７】
待ち受けている基地局装置３０は、リンク確立要求信号をＣＣＨで受信した後、リンク確立要求信号を送信した加入者端末とのチャネルを割り当て、割り当てたチャネルに関する情報を含むリンクチャネル割り当て信号（ＬＣＨ割当）を、ＣＣＨを用いて加入者端末２０に送信する。
【０００８】
加入者端末２０は、リンクチャネル割り当て信号をＣＣＨで受信した後で通信中になったとき、割り当てられたチャネル（ＴＣＨ）を用いて音声やデータなどの情報を基地局装置３０に送信する（ＳＡ）。
【０００９】
基地局装置３０は、加入者端末から送信された情報をＴＣＨで受信した後、送信された情報に基づいて加入者端末２０の位置をアダプティブアレイ技術によって特定し（ＳＢ）、加入者端末の方位に指向性を絞ったビーム形成を整え（ＳＣ）、加入者端末２０の方向に情報を送信する。なお、このような方式では、基地局装置３０が加入者端末２０の送信を待ち受けているが、リンク確立時に加入者端末２０が基地局装置３０を待ち受ける方式だと、基地局装置３０が加入者端末の方位に指向性を絞れないため、周囲の基地局装置が放射する電波と基地局装置３０が放射する電波とで電波干渉が生じてしまう。
【００１０】
また、従来の技術として特許文献１では、固定無線アクセスシステムの基地局装置が、通信担当エリアに広がる広角ビームパターンを用いて制御信号を送信し、広角ビームパターンのまま加入者端末からの上りデータ信号（ＴＣＨ）を受信する。続いて、この基地局装置は、アダプティブアレー技術を用いて、加入者端末の方位に指向性を絞ったビームパターンで下りデータ信号（ＴＣＨ）を送信する。このような固定無線アクセスシステムの基地局装置が知られている。
【特許文献１】特開２００４−２３５８３９号公報（第２４段落−第３０段落）
【発明の開示】
【発明が解決しようとする課題】
【００１１】
このように、従来の固定無線アクセスシステムでは、情報用チャネルの送信は指向性が絞られているため、情報用チャネルの信号が制御用チャネルよりも遠くに届くが、制御用チャネルは情報用チャネルよりも信号の伝播距離が短くなるため、加入者端末は、基地局装置からの制御用チャネルの信号が十分に届くように基地局装置から近い位置に設置する必要がある。従って、従来の固定無線アクセスシステムでは、加入者端末の設置エリアが情報用チャネルの信号の伝播エリアよりも狭く制限されてしまうという問題があった。
【００１２】
そこで、本発明は、従来の課題を解決するためになされたもので、固定無線アクセスシステムにおいて加入者端末の設置エリアを従来よりも拡大させることができる基地局装置および基地局制御方法を提供することを目的とする。
【課題を解決するための手段】
【００１３】
本発明の基地局装置は、制御用チャネルおよび情報用チャネルを用いて無線通信端末とアダプティブアレー方式で通信を行う基地局装置において、前記情報用チャネルを割り当てる際に前記無線通信端末から送信された前記制御用チャネルの信号を受信する無線通信部と、前記無線通信部によって受信された制御用チャネルの信号に基づいて前記無線通信端末の位置を特定する位置特定部と、前記位置特定部によって特定された無線通信端末の位置に基づいて前記無線通信端末に信号を放射するためのビーム形成の情報を記憶するビーム形成情報記憶部と、を備え、前記無線通信部が、前記制御用チャネルの信号に応答する際の信号を前記ビーム形成の情報に基づいて前記無線通信端末に所定の強さで放射する構成を有している。
【００１４】
この構成により、情報用チャネルを割り当てる際に無線通信端末から送信された制御用チャネルの信号を受信したとき、受信された制御用チャネルの信号に基づいたビーム形成の情報に基づいて無線通信端末に所定の強さで、制御用チャネルの信号に応答する際の信号を放射することで、確実にその信号が無線通信端末に届くようにするため、無線通信端末の設置エリアを従来よりも拡大させることができる。
【００１５】
また、本発明の基地局装置は、前記無線通信部が、アダプティブアレー方式に用いる複数のアンテナを備えており、前記アンテナを介して信号を受信したときに最大比合成ダイバーシティを用いて、前記情報用チャネルを割り当てる際の前記無線通信端末から送信された制御用チャネルの信号を特定する構成を有している。
【００１６】
この構成により、最大比合成ダイバーシティを用いて、情報用チャネルを割り当てる際の無線通信端末から送信された制御用チャネルの信号を特定するため、無線通信端末から送信された制御用チャネルの信号が微弱な信号でも受信することができ、無線通信端末の設置エリアを従来よりも拡大させることができる。
【００１７】
本発明の基地局制御方法は、制御用チャネルおよび情報用チャネルを用いて無線通信端末とアダプティブアレー方式で通信を行う基地局装置を制御する基地局制御方法において、前記情報用チャネルを割り当てる際に前記無線通信端末から送信された前記制御用チャネルの信号を受信する受信ステップと、前記受信ステップで受信された制御用チャネルの信号に基づいて前記無線通信端末の位置を特定する位置特定ステップと、前記位置特定ステップで特定された無線通信端末の位置に基づいて前記無線通信端末に信号を放射するためのビーム形成の情報を生成する生成ステップと、前記生成ステップで生成されたビーム形成の情報に基づいて前記無線通信端末に所定の強さで前記制御用チャネルの信号に応答する際の信号を放射するステップとを備えている。
【００１８】
この方法により、情報用チャネルを割り当てる際に無線通信端末から送信された制御用チャネルの信号を受信したとき、受信された制御用チャネルの信号に基づいたビーム形成の情報に基づいて無線通信端末に所定の強さで、制御用チャネルの信号に応答する際の信号を放射することで、確実にその信号が無線通信端末に届くようにするため、無線通信端末の設置エリアを従来よりも拡大させることができる。
【発明の効果】
【００１９】
本発明は、固定無線アクセスシステムにおいて加入者端末の設置エリアを従来よりも拡大させることができる基地局装置および基地局制御方法を提供するものである。
【発明を実施するための最良の形態】
【００２０】
以下、本発明の実施の形態について、図面を参照して説明する。
【００２１】
図１は、本発明の実施の形態に係る固定無線アクセスシステムの全体構成を示した図である。図１に示した固定無線アクセスシステムは、基地局装置１０および無線通信端末２０（以下、加入者端末２０という。）から構成されたものである。例えば、加入者端末２０は、固定無線アクセスシステムの加入者宅９に設置されている。基地局装置１０は、加入者宅９に対向する位置、例えば、電柱などに固定して設置される。
【００２２】
なお、加入者端末２０を２つ図示しているが２つに限ることはなく、本発明の実施の形態では、便宜上、加入者端末２０のうち何れか１つと通信処理するときの具体例について説明している。
【００２３】
図２は、本発明の実施の形態に係る基地局装置のブロック図である。基地局装置１０は、無線通信部１１、位置特定部１２、ビーム形成情報記憶部１３、およびネットワークインタフェース１４によって構成されている。
【００２４】
無線通信部１１は、加入者端末２０と通信するために、ＲＦ信号を送受信するものである。また、無線通信部１１は、ＴＤＤ／ＴＤＭＡ方式に準拠した通信を行うものであって、制御用チャネル（ＣＣＨ）および情報用チャネル（ＴＣＨ）を用いて加入者端末２０とアダプティブアレー方式で通信を行うようになっている。
【００２５】
例えば、無線通信部１１は、図示していないＣＰＵから出力された信号を変調処理し、変調処理された信号を無線信号に変換して送信するようになっており、受信した信号を変換し、変換したものを復調処理してＣＰＵに出力するようになっている。
【００２６】
また、無線通信部１１のアンテナは、アダプティブアレーアンテナによって構成され、無線通信部１１は、複数のアンテナに供給する信号の位相を制御することによって、任意の方向に指向性を持たせてビームを絞って送信することができ、周囲の基地局装置と通信中の無線通信部１１に対して、下り方向に与える干渉を減少させることができる。
【００２７】
位置特定部１２は、例えば、ＣＰＵなどによって構成されており、無線通信部１１によって受信された制御用チャネルまたは情報用チャネルの信号に基づいて加入者端末２０の位置を特定するようになっている。例えば、位置特定部１２は、無線通信部１１によって受信された信号から得られる振幅、位相などの情報に基づいて加入者端末２０の位置を特定する。
【００２８】
ビーム形成情報記憶部１３は、位置特定部１２によって特定された加入者端末２０の位置に基づいて加入者端末２０に信号を放射するためのビーム形成の情報を、加入者端末２０毎に記憶するようになっている。また、無線通信部１１は、加入者端末２０のビーム形成情報に基づいて指向性を持たせたビームを加入者端末２０に放射するようになっている。
【００２９】
ネットワークインタフェース１４は、インターネット、専用線、または電話網との通信を行うものである。
【００３０】
以上のように構成された基地局装置１０の動作について図面を用いて説明する。図３は、基地局装置１０および加入者端末２０の処理を示すシーケンス図である。勿論、本発明は、このような具体例に限定するものではない。なお、基地局装置１０と加入者端末２０との間のシステム同期は、それぞれに実装されているＧＰＳにて保たれている。
【００３１】
まず、電源投入時等に加入者端末２０は、信号を待ち受けている基地局装置１０に対し、情報用チャネルを割り当ててもらうためのＬＣＨ（リンクチャネル）確立要求を制御チャネルで送信する（Ｓ１）。
【００３２】
次に、基地局装置１０の無線通信部１１は、ＬＣＨ確立要求を受信し（Ｓ２）、位置特定部１２は、無線通信部１１によって受信された制御用チャネルの信号に基づいて加入者端末２０の位置を特定する（Ｓ３）と共に、位置特定部１２によって特定された加入者端末２０の位置に基づいて加入者端末２０に信号を放射するためのビーム形成処理を行い（Ｓ４）、そのビーム形成情報をビーム形成情報記憶部１３に記憶させる。このとき、基地局装置１０は、加入者端末２０に対して情報用チャネルを割り当てる。
【００３３】
次に、無線通信部１１は、記憶されたビーム形成情報に基づいて、ＬＣＨ確立要求に応答するためのＬＣＨ割当（割り当てた情報用チャネルを通知する信号）を制御チャネルで、加入者端末２０に放射する（Ｓ５）。このとき、ＬＣＨ確立要求を送信したときの加入者端末２０の方位に指向性を絞ったビームが放射され、加入者端末２０は、ＬＣＨ割当を受信する（Ｓ６）。
【００３４】
加入者端末２０がＬＣＨ割当を受信すると、加入者端末２０と基地局装置１０とが通信中の状態となり、割り当てた情報用チャネルで通信が開始される。加入者端末２０はほぼ固定されており、一度リンクが確立できた際のビーム形成情報が記憶されているため、基地局装置１０は、定期的に加入者端末２０によって送信された情報を受信することでビーム形成情報を更新する。このようなビーム形成情報の更新により、基地局装置１０から加入者端末２０に対する情報の送信時のビームフォーミングや加入者端末２０の呼び出し時のビームフォーミングが正確できることになる。
【００３５】
なお、ステップＳ２では、無線通信部１１は、アンテナを介して信号を受信したときに最大比合成ダイバーシティを用いて加入者端末２０から送信されたＬＣＨ確立要求を特定するようにしてもよい。このようにすれば、加入者端末２０から送信されたＬＣＨ確立要求が微弱な信号でも受信することができ、加入者端末の設置エリアを従来よりも拡大させることができる。
【００３６】
ステップＳ５では、電界強度を増加させて所定の電界強度で電磁波をＬＣＨ割当を加入者端末２０に放射するようにする（所定距離電磁波が届くようにする）。このようにすれば、加入者端末２０と基地局装置１０との距離は長いまたは通信状態がそれほど良好でない状況でも確実にＬＣＨ割当を届けることができる。
【００３７】
以上説明したように、基地局装置１０は、情報用チャネルを割り当てる際に加入者端末２０から送信されたＬＣＨ確立要求の信号に基づいたビーム形成の情報に基づいて加入者端末２０に所定の強さでＬＣＨ割当の信号を放射することで、確実にその信号が加入者端末２０に届くようにするため、加入者端末２０の設置エリアを従来よりも拡大させることができる。
【産業上の利用可能性】
【００３８】
本発明は、固定無線アクセスシステムにおいて加入者端末の設置エリアを従来よりも拡大させることができる効果を有し、アダプティブアレー方式で通信する基地局装置などに幅広く有用である。
【図面の簡単な説明】
【００３９】
【図１】本発明の実施の形態に係る固定無線アクセスシステムの全体構成を示した図である。
【図２】本発明の実施の形態に係る基地局装置のブロック図である。
【図３】本発明の実施の形態に係る基地局装置および加入者端末の処理を示すシーケンス図である。
【図４】スロットダイバーシティを行う際に、ダイバーシティ通信を維持しようとする場合、切り替え処理を実行する処理を示す図である。
【図５】従来の基地局装置および加入者端末の処理を示すシーケンス図である。
【符号の説明】
【００４０】
９  加入者宅
１０、３０  基地局装置
１１  無線通信部
１２  位置特定部
１３  ビーム形成情報記憶部
１４  ネットワークインタフェース
２０  加入者端末
【図１】
2010147847.tif 000003
【図２】
2010147847.tif 000004
【図３】
2010147847.tif 000005
【図４】
2010147847.tif 000006
【図５】
2010147847.tif 000007